(57)【要約】【課題】リラックスした姿勢でマッサージを受ける。振動する部分に体重を十分に掛ける。【解決手段】ベッド面１が使用者の上半身を支持する第１の領域１ａと下半身の膝上部分を支持する第２の領域１ｂと下半身の膝下部分を支持する第３の領域１ｃとを有し、第１の領域１ａと第２の領域１ｂとは谷形に配置され、第２の領域１ｂと第３の領域１ｃとは山形に配置され、且つ第３の領域１ｃは使用者の膝下部分を心臓よりも高く配置し、第１の領域１ａの背支持位置２及び腰支持位置３と第２の領域１ｂのもも支持位置４と第３の領域１ｃのふくらはぎ支持位置５には振動子６が設けられており、振動子６による振動面７は鉛直方向Ｖに対して４０度以上９０度以下傾斜している。【選択図】図１
2008029633.tif 000002
【特許請求の範囲】
【請求項１】
ベッド面が使用者の上半身を支持する第１の領域と下半身の膝上部分を支持する第２の領域と下半身の膝下部分を支持する第３の領域とを有し、前記第１の領域と前記第２の領域とは谷形に配置され、前記第２の領域と前記第３の領域とは山形に配置され、且つ前記第３の領域は前記使用者の膝下部分を心臓よりも高く配置し、前記第１の領域の背支持位置及び腰支持位置と前記第２の領域のもも支持位置と前記第３の領域のふくらはぎ支持位置には振動子が設けられており、前記振動子による振動面は鉛直方向に対して４０度以上９０度以下傾斜していることを特徴とするマッサージベッド。
【請求項２】
前記ベッド面を起こすチルト機構を備えることを特徴とする請求項１記載のマッサージベッド。
【発明の詳細な説明】
【技術分野】
【０００１】
本発明は、マッサージベッドに関する。さらに詳しくは、本発明は、振動を発生させる振動子を有するマッサージベッドに関するものである。
【背景技術】
【０００２】
従来、例えば特開２００１−１７５０１号公報や特開平３−７３１０８号公報などに記載されているように、マッサージやリラクゼーションなどを目的として、椅子やベッドに振動装置を設けることが行われている。
【０００３】
上記特開２００１−１７５０１号公報に記載の振動刺激装置は、図８に示すように、座部１０１と背もたれ部１０２と脚載置台１０３とを備えた椅子型のもので、座部１０１には尻部に対応する部位に尻部振動体１０４を配設し、また、背もたれ部１０２には腰部に対応する部位に腰部振動体１０５および背中部に対応する部位に背部振動体１０６を配設し、さらに、脚載置台１０３には脚部振動体１０７を配設している。そして、座部１０１は、ほぼ水平になっており、背もたれ部１０２は、多少傾斜がついているものの、鉛直に近く立ったものである。
【０００４】
【特許文献１】特開２００１−１７５０１号公報
【特許文献２】特開平３−７３１０８号公報
【発明の開示】
【発明が解決しようとする課題】
【０００５】
上記特開２００１−１７５０１号公報に記載のような椅子型のマッサージ機（振動刺激装置）では、使用者が座部１０１に腰掛け、背中を背もたれ部１０２に当て、脚を脚載置台１０３に載せてマッサージを受けるものであるが、このような姿勢は、最もリラックスした状態でマッサージを受けられるものではない。これに対して、ベッドのように全身が水平な姿勢になるのも、無防衛な姿勢であり、最もリラックスした状態をもたらすものではない。
【０００６】
また、マッサージを効率良く受けるためには、椅子の振動する部分に使用者の体重が十分に掛かり、その振動が使用者に良好に伝わる必要があるが、上述の椅子型のマッサージ機の特に背もたれ部１０２では、鉛直に近く立っているため、振動する部分に使用者の体重が十分に掛からない。そして、振動子（振動体）の振動が効率よく人体に伝わらないと、高出力で大型の振動子を使わなければならなくなったり、電力消費量が嵩むなどの弊害も生じる。
【０００７】
本発明は、リラックスした姿勢でマッサージを受けることができ、しかも、効率よく人体に振動を与えて良好なマッサージ効果を得られるマッサージベッドを提供することを目的とする。
【課題を解決するための手段】
【０００８】
かかる目的を達成するために、請求項１記載のマッサージベッドは、ベッド面が使用者の上半身を支持する第１の領域と下半身の膝上部分を支持する第２の領域と下半身の膝下部分を支持する第３の領域とを有し、第１の領域と第２の領域とは谷形に配置され、第２の領域と第３の領域とは山形に配置され、且つ第３の領域は使用者の膝下部分を心臓よりも高く配置し、第１の領域の背支持位置及び腰支持位置と第２の領域のもも支持位置と第３の領域のふくらはぎ支持位置には振動子が設けられており、振動子による振動面は鉛直方向に対して４０度以上９０度以下傾斜しているものである。
【０００９】
したがって、使用者がベッド面に仰向けに横たわると、臀部が第１の領域と第２の領域の間の谷底部分に、膝裏が第２の領域と第３の領域の間の山頂部分に支持されることになり、腰と膝とを若干曲げたリラックス姿勢となる。このリラックス姿勢は使用者の体重が当該体重を支えるベッド面にほぼ均等に分散される姿勢であり、大変心地よくリラックスできる姿勢である。また、第３の領域は使用者の膝下部分を心臓よりも高く配置するので、血行が良くなり足のむくみが解消される。このことからもリラックスできる姿勢である。さらに、このリラックス姿勢は、腰を若干曲げて腹部を引っ込めた若干前屈みの姿勢でもあり、腹部が心理的に保護され且つベッドから降りやすい姿勢（防衛姿勢）でもある。このため、横たわった時に安心感が得られ、心理的にもリラックスすることができる。
【００１０】
また、ベッド面の第１の領域の背支持位置、第１の領域の腰支持位置、第２の領域のもも支持位置、第３の領域のふくらはぎ支持位置には振動子が設けられている。振動子を振動させることで、ベッド面に横たわる者（使用者）をマッサージすることができる。振動子による振動面（ベッド面の振動される部位）に使用者の体重が強く掛かれば掛かるほど、振動が体に良好に伝わるので、マッサージの効率が良くなる。このリラックス姿勢では使用者の体重がほぼ均等に分散されるので、各振動面のそれぞれに良好に体重を掛けることができる。
【００１１】
また、各振動面は鉛直方向に対して４０度以上９０度以下の範囲で傾斜しているので、リラックスできる姿勢を崩すことなく、各振動面に対して使用者の体重を良好に掛けることができる。即ち、振動面に掛かる使用者の体重は、鉛直方向に対する振動面の傾斜が０度に近くなればなるほど小さくなり、逆に９０度に近くなればなるほど大きくなる。本発明では、鉛直方向に対する振動面の傾斜は４０度以上であり、少なくとも十分なマッサージ効果を得ることができる程度に使用者の体重を振動面に掛けることができる。一方、第１の領域に設けられる振動面（背支持位置に設けられた振動子の振動面と、腰支持位置に設けられた振動子の振動面）が鉛直方向に対して９０度を超えて傾斜すると、使用者の上半身の傾斜が逆になり、腰よりも頭が低くなる。このような姿勢では使用者は不安になりリラックスできない。同様に、第３の領域に設けられる振動面（ふくらはぎ支持位置に設けられた振動子の振動面）が鉛直方向に対して９０度を超えて傾斜すると、使用者の膝下部分の傾斜が逆になり、膝よりもつま先が高くなる。このような姿勢では使用者は不安になりリラックスできない。なお、本発明では第３の領域が使用者の膝下部分を心臓よりも高く配置するので、第２の領域に設けられる振動面（もも支持位置に設けられた振動子の振動面）が鉛直方向に対して９０度を超えて傾斜すること、即ち腰よりも膝が低くなることはない。本発明では、鉛直方向に対する各振動面の傾斜を９０度以下にしているので、使用者が不安を感じるような姿勢にならず、リラックスすることができる。
【００１２】
また、請求項２記載のマッサージベッドは、ベッド面を起こすチルト機構を備えるものである。使用者がベッド面に横たわる場合、まず最初に第２の領域に腰掛けてから脚を持ち上げて第３の領域に載せ、さらに上半身を第１の領域に倒して横たわることが一般的である。また、使用者がベッド面から降りる場合、まず最初に上半身を起こしてから脚を床に降ろして第２の領域に腰掛けた状態になり、その後腰を上げて立ち上がることが一般的である。チルト機構によってベッド面を起こすことで、ベッドへの乗り降りが容易になる。
【発明の効果】
【００１３】
請求項１記載のマッサージベッドでは、ベッド面が使用者の上半身を支持する第１の領域と下半身の膝上部分を支持する第２の領域と下半身の膝下部分を支持する第３の領域とを有し、第１の領域と第２の領域とは谷形に配置され、第２の領域と第３の領域とは山形に配置され、且つ第３の領域は使用者の膝下部分を心臓よりも高く配置し、第１の領域の背支持位置及び腰支持位置と第２の領域のもも支持位置と第３の領域のふくらはぎ支持位置には振動子が設けられており、振動子による振動面は鉛直方向に対して４０度以上９０度以下傾斜しているので、使用者がベッド面に仰向けに横たわるとリラックス姿勢を取ることができる。しかも、各振動子の振動面のそれぞれに良好に体重を掛けることができるので、マッサージ効率が良くなる。
【００１４】
また、請求項２記載のマッサージベッドでは、ベッド面を起こすチルト機構を備えているので、ベッドへの乗り降りが容易になり、使い勝手をより一層向上させることができる。
【発明を実施するための最良の形態】
【００１５】
以下、本発明の構成を図面に示す最良の形態に基づいて詳細に説明する。
【００１６】
図１、図２に、本発明のマッサージベッドの実施形態の一例を示す。マッサージベッドは、ベッド面１が使用者の上半身を支持する第１の領域１ａと下半身の膝上部分を支持する第２の領域１ｂと下半身の膝下部分を支持する第３の領域１ｃとを有し、第１の領域１ａと第２の領域１ｂとは谷形に配置され、第２の領域１ｂと第３の領域１ｃとは山形に配置され、且つ第３の領域１ｃは使用者の膝下部分を心臓よりも高く配置し、第１の領域１ａの背支持位置２及び腰支持位置３と第２の領域１ｂのもも支持位置４と第３の領域１ｃのふくらはぎ支持位置５には振動子６が設けられており、振動子６による振動面７は鉛直方向Ｖに対して４０度以上９０度以下傾斜しているものである。
【００１７】
ベッド面１は、例えば図２，図３に示すように、フレーム２２にテンションシート８を張り、その上にクッション１１を配置してカバー１２で覆うことで構成されている。
【００１８】
テンションシート８は、張力が付与された状態で弾性を発揮し得るものであり、本実施形態ではポリエステルから成る弾性糸（エラストマー糸）を織り込んだものが使用されている。このようなテンションシート８としては、例えばポリエステル糸とエラストマ性ポリエステル糸との織物、具体的にはデュポン社製ポリエステルエラストマー（商品名：ダイメトロール（登録商標）あるいはハイトレル（登録商標））の使用が可能である。このポリエステル製エラストマーシートは、へたりが少なく、弾力性や通気性が良好であるので、寝心地の良い快適な身体支持面（ベッド面１）を得ることができる。また、エラストマ素材を繊維や織物などで補強したものから成るシート材の使用も可能である。このような繊維補強シートとして好適なものは、ポリエステルエラストマから成る厚さ１ｍｍ程度のシート材であって、その裏面を補強用の布地例えば１２０〜２４０デニールのナイロンまたはポリエステル製のタフタで補強したものが挙げられる。補強用布地によってシート材が補強されることにより、厚さ１ｍｍ程度のシート材でも十分な弾力性を有して荷重を支持することができる。しかしながら、テンションシート８としては、特に上述のポリエステルエラストマーや繊維補強エラストマー素材から成るものに限定されるものではなく、身体を受け支える部材として充分な一定の張力が与えられかつ同張力が付与された状態で弾性を発揮する材質・構造であれば如何なるものでも採用可能である。
【００１９】
振動子６は第１の領域１ａの背支持位置２、第１の領域１ａの腰支持位置３、第２の領域１ｂのもも支持位置４、第３の領域１ｃのふくらはぎ支持位置５にそれぞれ設けられている。本実施形態では、各位置２〜５に左右１つずつ振動子６を設けている。背支持位置２の右側の振動子６と腰支持位置３の右側の振動子６は同じ振動板９に取り付けられ、背支持位置２の左側の振動子６と腰支持位置３の左側の振動子６は同じ振動板９に取り付けられている。同様に、もも支持位置４の右側の振動子６とふくらはぎ支持位置５の右側の振動子６は同じ振動板９に取り付けられ、もも支持位置４の左側の振動子６とふくらはぎ支持位置５の左側の振動子６は同じ振動板９に取り付けられている。このように、各位置２〜５ごとに左右の振動子６を同じ振動板９に取り付けるのではなく、左右の振動子６を、背と腰、ももとふくらはぎで組み合わせて同じ振動板９に取り付けている。
【００２０】
ここで、振動板９のある所には振動板９によって振動を良好に伝えることができるが、振動板９のない所には振動を良好に伝えることができない。このため、仮に、各位置２〜５ごとに左右の振動子６を同じ振動板９に取り付ける場合には、各位置２〜５のみを局所的にマッサージすることになる。これに対し、図２に示す本実施形態のように左右の振動子６を、背と腰、ももとふくらはぎで組み合わせて同じ振動板９に取り付ける場合には、身体の軸方向に振動の範囲を広げることができて全身マッサージに適したものとなり、尚かつ、振動板９により背支持位置２と腰支持位置３の振動子６の縁、もも支持位置４とふくらはぎ支持位置５の振動子６の縁が切れていないので、振動子６のない振動板９の中間部の振動強さもある程度確保することができる。さらに、左右の振動子６を、背と腰、ももとふくらはぎで組み合わせて同じ振動板９に取り付けているので、左右の振動子６ごとに背・腰・もも・ふくらはぎの全てを同じ振動板９に取り付ける場合に比べて、振動板９の形状を単純な形状にすることができる。このため、振動板９の加工が容易になり、製造コストの上昇を抑えることができる。このように、本実施形態では、全身マッサージへの対応と製造コストの抑制とをともに高レベルで達成することができる。ただし、本実施形態のように、左右の振動子６を背と腰、ももとふくらはぎで組み合わせて同じ振動板９に取り付けるものに限るものではなく、例えば各位置２〜５ごとに左右の振動子６を同じ振動板９に取り付けても良い。この場合は、局所マッサージを行なうのに適している。また、例えば、左右の振動子６ごとに背・腰・もも・ふくらはぎの全てを同じ振動板９に取り付けても良い。この場合には、振動の範囲を身体の軸方向に更に広げることができ、全身マッサージにより適したものとなる。
【００２１】
振動子６は、振動板９にビス止めなどによって取り付けられている。左右の振動板９の間に適宜間隔を設けることで、テンションシート８の横方向の湾曲・変形を妨げず、また使用者の体の中心即ち背骨に振動板９が当たったり、背骨付近が当たることが想定される領域の身体支持面が硬くなるのを防ぐことができる。なお、この振動板９は、割れ難いポリプロピレンの使用が好ましいが、ＡＢＳ樹脂やその他の樹脂の使用も可能である。尚、振動子６としては、例えばオンキョーリブ株式会社製のリラテックエレメントＤＵ−２５０６の使用が可能である。
【００２２】
振動子６は、例えば図示しない電源より電力の供給を受けて作動する。また、振動子６は、例えば図示しないスイッチにより操作される。
【００２３】
テンションシート８への振動板９の取付けは、本実施形態の場合にはバンド状の伸縮性のある弾性取付け部材（以下、単にバンド部材と呼ぶ）１０が使用されている（図４）。このバンド部材１０は、両端部がテンションシート８に縫合などによって固着されると共に、中央部とテンションシート８との間に振動板９を挟み込んで支持するものとしている。すなわち、振動板９はテンションシート８の裏側の面に接触してバンド部材１０の弾性力で吊り下げられた状態で保持されている。ここで、バンド部材１０の両端部は縫合あるいは接着などによりテンションシート８の裏面に固着されている。また、バンド部材１０としてはゴムバンドを使用している。このため、バンド部材１０は、振動板９を装入するときには伸び、装入後には収縮するので、振動板９の保持を強固にすることができると共に振動板９とテンションシート８とを密着させることができる。伸縮性のあるバンド部材１０によってテンションシート８の裏面との間に振動板９を挟み込んでいるので、振動板９はテンションシート８に対して固定されず、テンションシート８の伸びや変形を拘束せず自由なものとする。また、振動板９そのものも、テンションシート８によってその動きや変形がバンド部材１０の伸縮可能な範囲において強く拘束されることがない。したがって、テンションシート８と振動板９とは、弾性バンド部材１０の伸縮可能な範囲（弾性変形可能な範囲）において、バンド部材１０が伸縮しようとする力を受けて変形等に対して互いにある程度の制約を受けるにしても独立して変形することが可能であり、テンションシート８の可撓性を大幅に損なうこともなければ振動板９の独自の変形も許容する。このことは、テンションシート８の身体を支える面の硬化を招かないばかりか、振動板９とテンションシート８の変形に伴うそれらの間の固定部位の破損を招くことも少なくなる。
【００２４】
なお、ベッド面１の振動子６によって振動される部位が振動面７である。本実施形態では、後述するようにテンションシート８の上にクッション１１とカバー１２を設けており、カバー１２が直接使用者に接触することになるので、カバー１２の表面が振動面７となる。
【００２５】
テンションシート８の上（表面側）には、さらに体圧を分散させて寝心地をより良くするためのクッション１１が設けられている。このクッション１１としては、低反発素材例えば低弾性ウレタンの使用が好ましい。クッション１１の表面は、カバー１２に覆われている。
【００２６】
テンションシート８の表面とクッション１１との間には、吸音材１３が設けられている。吸音材１３としては、使用者の体重が加わったときには潰れてしまう程度の厚みと弾力性を備えた綿ないしフェルトの使用が好ましく、例えば１０ｍｍ程度の厚みのポリエステル綿のようなものが使用されている。この吸音材１３は、使用者の体重が加わらない状況下では、吸音材として機能を発揮し、少なくとも重みが加わった状況下では振動を伝達できるものとして機能する材質あるいは構造のものであれば、どのような材質あいるは構造のものでも使用可能である。尚、テンションシート８とクッション１１とは、場合によっては接着しても良い。この場合には、テンションシート８とクッション１１との間でのびびり音の発生がなくなるので、吸音材１３を配置する必要はなくなる。
【００２７】
また、振動板９とテンションシート８との間、即ちテンションシート８の裏面側にも、吸音材１４が配置されている。この吸音材１４も上述の吸音材１３と同様のもので、例えばポリエステル綿からなる。吸音材１４としては、使用者の体重が加わったときには潰れてしまう程度の厚みと弾力性を備えた綿ないしフェルトの使用が好ましく、例えば１０ｍｍ程度の厚みのポリエステル綿のようなものが使用されている。この吸音材１４は、使用者の体重が加わらない状況下では、吸音材として機能を発揮し、少なくとも重みが加わった状況下では振動を伝達できるものとして機能する材質あるいは構造のものであれば、どのような材質あるいは構造のものでも使用可能である。
【００２８】
ベッド面１の各領域１ａ〜１ｃは平面形状になっている。ただし、必ずしも各領域１ａ〜１ｃを平面形状にする必要はなく、各領域１ａ〜１ｃを曲面形状にしても良い。
【００２９】
第１の領域１ａと第２の領域１ｂとの間の傾斜角度（１８０度よりも傾斜が狭い方の角度。以下、谷角度θ１という）は、例えば１３０度になっている。ただし、谷角度θ１は１３０度に限るものではない。θ１とθ３およびθ４との間には、θ１＝θ３＋θ４なる関係があるので、θ３およびθ４に関する４０度以上９０度以下という条件を満たすには、θ１が８０度以上１８０度以下であることが必要である。しかし、１８０度近くになれば、第１の領域１ａと第２の領域１ｂとがほぼ一平面になってしまい、また、９０度未満では、腹部の圧迫が強くなるので、θ１は９０度以上１７０度以下が好ましい。よりいっそう好ましくは、１２０度〜１４０度の範囲である。谷角度θ１の下限値を１２０度とすることにより、腹部の圧迫を十分弱くできる。また、谷角度θ１の上限値を１４０度とするのは、この角度よりも大きければ、寝姿勢に近づき、リラックス姿勢がとりにくくなるからである。
【００３０】
第２の領域１ｂと第３の領域１ｃとの間の傾斜角度（１８０度よりも傾斜が狭い方の角度。以下、山角度θ２という）は、例えば１３５度になっている。ただし、山角度θ２は１３５度に限るものではない。θ２とθ４およびθ５との間には、θ２＝θ４＋θ５なる関係があるので、θ４およびθ５に関する４０度以上９０度以下という条件を満たすには、θ２が８０度以上１８０度以下であることが必要である。しかし、１８０度近くになれば、第２の領域１ｂと第３の領域１ｃとがほぼ一平面になってしまい、また、９０度未満では、血行が悪くなるので、θ２は９０度以上１７０度以下が好ましい。よりいっそう好ましくは、１３０度〜１６０度の範囲である。山角度θ２の下限値を１３０度とすることにより、良好な血行を確保できる。また、山角度θ２の上限値を１６０度とするのは、この角度よりも大きければ、膝を伸ばした姿勢に近づき、リラックス姿勢がとりにくくなるからである。
【００３１】
背支持位置２に設けられた振動子６の振動面７と、腰支持位置３に設けられた振動子６の振動面７は鉛直方向Ｖに対して、例えば７３度傾斜している。この角度を符号θ３で識別する。なお、角度θ３は、背支持位置２と腰支持位置３の振動面７の下半身側が鉛直方向Ｖ（図１中下向き）に対して持ち上がった角度である。ただし、角度θ３は７３度に限るものではなく、４０度以上９０度以下の傾斜角度であれば良い。
【００３２】
また、もも支持位置４に設けられた振動子６の振動面７は鉛直方向Ｖに対して、例えば５７度傾斜している。この角度を符号θ４で識別する。なお、角度θ４は、もも支持位置４の振動面７の腰側が鉛直方向Ｖ（図１中下向き）に対して持ち上がった角度である。ただし、角度θ４は５７度に限るものではなく、４０度以上９０度以下の傾斜角度であれば良い。
【００３３】
さらに、ふくらはぎ支持位置５に設けられた振動子６の振動面７は鉛直方向Ｖに対して、例えば７８度傾斜している。この角度を符号θ５で識別する。なお、角度θ５は、ふくらはぎ支持位置５の振動面７のつま先側が鉛直方向Ｖ（図１中下向き）に対して持ち上がった角度である。ただし、角度θ５は７８度に限るものではなく、４０度以上９０度以下の傾斜角度であれば良い。
【００３４】
なお、本実施形態では、各領域１ａ〜１ｃは平面形状を成しているので、上記振動面７の傾斜角度θ３〜θ５は各領域１ａ〜１ｃの傾斜角度でもある。
【００３５】
このマッサージベッドは、ベッド面１を起こすチルト機構１５を備えている。チルト機構１５を図５に、ベッド面１を起こした状態を図６にそれぞれ示す。チルト機構１５は、例えば床１６に置かれたベース１７に対してベッド面１を揺動させるもので、揺動の中心軸となるシャフト１８と、シャフト１８に設けられたピニオンギヤ１９と、ピニオンギヤ１９を回転させるウォームギヤ２０と、ウォームギヤ２０を回転させる電動モータ２１より構成されている。左右のフレーム２２にはブラケット２３が固着されており、各ブラケット２３間にはシャフト１８が架け渡されて固着されている。シャフト１８の両端はベース１７の左右両側部に設けられた支持プレート２４に回転自在に取り付けられている。したがって、電動モータ２１がウォームギヤ２０を回転させると、ピニオンギヤ１９が回転してシャフト１８が回転し、フレーム２２ごとベッド面１全体が揺動する。電動モータ２１は、例えば図示しない電源より電力の供給を受けて作動する。また、電動モータ２１は、図示しないスイッチによって操作される。チルト機構１５は、ベッド面１を第２の領域１ｂの傾斜が例えば５度になる位置（図６の位置）まで起こすことができる。即ち、チルト機構１５のチルト角θ６は、例えば２８となっている。
【００３６】
次に、マッサージベッドの使用について説明する。
【００３７】
使用者がベッド面１に仰向けに横たわると、臀部が第１の領域１ａと第２の領域１ｂの間の谷底部分に、膝裏が第２の領域１ｂと第３の領域１ｃの間の山頂部分に支持されることになり、腰と膝とを若干曲げたリラックス姿勢となる。このリラックス姿勢は使用者の体重をほぼ均等に分散させてベッド面１に伝えることができる姿勢であり、大変心地よくリラックスできる姿勢である。また、第３の領域１ｃは使用者の膝下部分を心臓よりも高く配置するので、血行が良くなり足のむくみが解消される。このことからもリラックスできる姿勢である。さらに、このリラックス姿勢は、腰を若干曲げて腹部を引っ込めた若干前屈みの姿勢でもあり、腹部が心理的に保護され且つベッドから降りやすい姿勢（防衛姿勢）でもある。このため、横たわった時に安心感が得られ、心理的にもリラックスすることができる。
【００３８】
なお、腰と膝を約９０度曲げながら仰向けになった姿勢のことを中立姿勢と言うことがあり、この中立姿勢はロケット発射時にかかる重力を最小限にできる姿勢であると言われている。本発明のマッサージベッドでも同様に、使用者が仰向けに横たわると腰と膝を曲げる姿勢となるので、体に掛かる重力をほぼ均等に分散することができる。一方、本発明のマッサージベッドに係るリラックス姿勢では使用者の腰と膝の角度は９０度よりも大きく、体をゆったりとさせる姿勢であるので、ベッドにくつろいで横たわる姿勢としては優れている。
【００３９】
使用者がベッド面１に仰向けに横たわった後、振動子６を振動させると、各領域１ａ〜１ｃの振動面７が振動し、使用者をマッサージすることができる。ここで、振動面７に使用者の体重が強く掛かれば掛かるほど、振動が体に良好に伝わるので、マッサージの効率が良くなる。リラックス姿勢では使用者の体重がほぼ均等に分散されるので、各振動面７のそれぞれに良好に体重を掛けることができる。このため、マッサージの効率が良好になる。
【００４０】
また、各振動面７は鉛直方向Ｖに対して４０度以上９０度以下の範囲で傾斜しているので、リラックスした姿勢を崩すことなく、各振動面７に対して使用者の体重を良好に掛けることができる。即ち、振動面７に掛かる使用者の体重は、振動面７の傾斜が０度に近くなればなるほど小さくなり、逆に９０度に近くなればなるほど大きくなる。鉛直方向Ｖに対する振動面７の傾斜（θ３〜θ５）を４０度以上にすることで、少なくとも十分なマッサージ効果を得ることができる程度に使用者の体重を振動面７に掛けることができる。一方、第１の領域１ａに設けられる振動面７が鉛直方向Ｖに対して９０度を超えて傾斜すると（θ３＞９０）、使用者の上半身の傾斜が逆になり、腰よりも頭が低くなる。このような姿勢では使用者は不安になりリラックスできない。同様に、第３の領域１ｃに設けられる振動面７が鉛直方向Ｖに対して９０度を超えて傾斜すると（θ５＞９０）、使用者の膝下部分の傾斜が逆になり、膝よりもつま先が高くなる。このような姿勢では使用者は不安になりリラックスできない。なお、第３の領域１ｃは使用者の膝下部分を心臓よりも高く配置するので、第２の領域１ｂに設けられる振動面７が鉛直方向Ｖに対して９０度を超えて傾斜すること、即ち腰よりも膝が低くなることはない。本発明では、鉛直方向Ｖに対する各振動面７の傾斜を９０度以下にしているので、使用者が不安を感じるような姿勢にはならず、リラックスすることができる。
【００４１】
このように、ベッド面１に横たわった使用者の姿勢がリラックス姿勢となり、しかも、各振動面７のそれぞれに体重を良好に掛けることができるので、マッサージ効率も良くなる。即ち、使用者をリラックスさせながら良好にマッサージを行うことができる。
【００４２】
使用者がベッド面１に乗り降りする際、チルト機構１５によってベッド面１を起こすことができる。使用者がベッド面１に乗って横たわる場合、まず最初に第２の領域１ｂに腰掛けてから脚を持ち上げて第３の領域１ｃに載せ、さらに上半身を第１の領域１ａに倒して横たわることが一般的である。また、使用者がベッド面１から降りる場合、まず最初に上半身を起こしてから脚を床１６に降ろして第２の領域１ｂに腰掛けた状態になり、その後腰を上げて立ち上がることが一般的である。チルト機構１５によってベッド面１を起こすことで第２の領域１ｂがほぼ水平になり、また、第１の領域１ａが起き上がり、第３の領域１ｃが下がるので、ベッドへの乗り降りが容易になる。このため、マッサージベッドの使い勝手が向上する。
【００４３】
なお、上述の形態は本発明の好適な形態の一例ではあるがこれに限定されるものではなく本発明の要旨を逸脱しない範囲において種々変形実施可能である。例えば、上述の説明では、チルト機構１５のチルト角θ６は例えば２８度であったが、チルト角θ６は２８度に限るものではない。また、ベッド面１を起こすことができるようにしなくても良い。即ち、チルト機構１５を省略しても良い。
【００４４】
また、上述の説明では、チルト機構１５を電動にしていたが、チルト機構１５を手動にしても良い。例えば、ばねによりベッドを起こす方向に付勢しておき、ベッドに使用者が寝ると、その重さでばねの付勢力に抗してベッドが倒れるようにしても良い。あるいは、ベッドを所定の傾動角度で固定する固定手段を設けても良い。
【００４５】
また、上述の説明では、振動子６を各位置２〜５毎に左右１つずつ設けていたが、振動子６を設ける個数はこれに限るものではない。例えば、各位置２〜５毎に左右２つずつ振動子６を設けても良い。この場合、図７（ａ）に示すように２つの振動子６を縦方向（ベッド面１の長手方向）に並べても良く、図７（ｂ）に示すように２つの振動子６を横方向（ベッド面１の左右方向）に並べても良い。
【００４６】
さらに、上述の説明では、図１の状態でマッサージを行ない、使用者がベッド面１に乗り降りする場合にチルト機構１５を作動させていたが、マッサージを行なう場合のベッド面１の傾きをチルト機構１５によって調節するようにしても良い。
【図面の簡単な説明】
【００４７】
【図１】本発明のマッサージベッドを示す側面図である。
【図２】同マッサージベッドを示す平面図である。
【図３】同マッサージベッドのクッションとテンションシートと振動板並びにこれらの間に配置された吸音材との関係を示す断面図である。
【図４】振動子をテンションシートに取り付けた様子を示す振動板を下から見た図である。
【図５】同マッサージベッドのチルト機構を示す正面図である。
【図６】同マッサージベッドを起こした状態の側面図である。
【図７】振動子の取り付けの他の実施形態を示し、（ａ）は振動子を２つずつ縦に並べて取り付けた様子を示す振動板を下から見た図、（ｂ）は振動子を２つずつ横に並べて取り付けた様子を示す振動板を下から見た図である。
【図８】従来の椅子形マッサージ機の斜視図である。
【符号の説明】
【００４８】
１  ベッド面
１ａ  第１の領域
１ｂ  第２の領域
１ｃ  第３の領域
２  背支持位置
３  腰支持位置
４  もも支持位置
５  ふくらはぎ支持位置
６  振動子
７  振動面
１５  チルト機構
Ｖ  鉛直方向
【図１】
2008029633.tif 000003
【図２】
2008029633.tif 000004
【図３】
2008029633.tif 000005
【図４】
2008029633.tif 000006
【図５】
2008029633.tif 000007
【図６】
2008029633.tif 000008
【図７】
2008029633.tif 000009
【図８】
2008029633.tif 000010